(57)【特許請求の範囲】
【請求項１】
繊維強化樹脂製の大径竿管と小径竿管とが互いに継ぎ合わされる釣竿であって、大径竿管の継合部の端部側領域と小径竿管の継合部の端部側領域との少なくとも何れか一方には、軸長方向強化繊維を主体とする層が存在しておらず、
継合部端部側領域に軸長方向強化繊維を主体とする層が存在していない竿管の、残りの継合部領域から該継合部端部側領域との境界部にまで至っている軸長方向強化繊維を主体とする第１層と、該第１層の内方又は外方に設けられ、該継合部端部側領域から離れて設けられている軸長方向強化繊維を主体とする第２層とを具備する
ことを特徴とする継合式釣竿。
【発明の詳細な説明】
【０００１】
【発明の属する技術分野】
本発明は、並継式、逆並継式、振出式、インロー継合式の継合式釣竿に関する。
【０００２】
【従来の技術】
釣竿には大きな曲げ力が作用するが、これによっても竿が破損しないよう、最大曲げの部位が順次滑らかに後方に移動するよう竿管各部位の曲げ剛性が設定される。然しながら、竿管を継ぎ合わせる継合式釣竿の継合領域では、大小竿管の重なりが生じ、一般的に、その前後領域に比べて曲げ剛性が急に上昇する。この継合領域端部における応力集中の防止や、撓みバランス向上に鑑みて、本出願人による特開平１１−２１５９３６号公報では、大小竿管の継合部の端部側領域において、低剛性層を形成する構造が開示されている。
【０００３】
【発明が解決しようとする課題】
然しながら、上記公報開示の構造では、各竿管の継合部端部側領域には、軸長方向指向の強化繊維の層が存在しており、この層の存在によって継合領域の曲げ剛性の低減には限度があり、その前後領域の曲げ剛性との相違は依然として高く、応力集中の防止は充分とは言えない。
また、継合部の端の曲げ剛性が大きいと、その縁部が当接して継ぎ合わせた相手方竿管への応力集中を大きくするが、上記公報開示の構造では、各竿管の継合部には軸長方向指向の強化繊維の層が（階段状に）存在しており、その継合部の端において急に存在しなくなる。従って、やはり、その継合領域を外れた領域の曲げ剛性との相違は依然として高く、応力集中の防止は充分とは言えない。また、この継合領域とその前後の撓み変化を滑らかにさせるには、端から継合部端部側領域内部にまで可及的に滑らかに曲げ剛性を変化させる必要がある。
依って本発明は、継合領域の端部近くにおける応力集中の防止された継合式釣竿の提供を目的とする。
【０００４】
【課題を解決するための手段】
上記目的に鑑み本発明の請求項１では、繊維強化樹脂製の大径竿管と小径竿管とが互いに継ぎ合わされる釣竿であって、大径竿管の継合部の端部側領域と小径竿管の継合部の端部側領域との少なくとも何れか一方には、軸長方向強化繊維を主体とする層が存在しておらず、継合部端部側領域に軸長方向強化繊維を主体とする層が存在していない竿管の、残りの継合部領域から該継合部端部側領域との境界部にまで至っている軸長方向強化繊維を主体とする第１層と、該第１層の内方又は外方に設けられ、該継合部端部側領域から離れて設けられている軸長方向強化繊維を主体とする第２層とを具備することを特徴とする継合式釣竿を提供する。
本明細書での継合部の端部側領域とは、この継合部を有する竿管の端部を含む領域の意味であり、継合部の範囲内で長さはいくらでもよい。
【０００５】
継合部の端部側領域に軸長方向強化繊維を主体とする層が存在していないため、曲げ剛性を小さく構成でき、継合領域が撓みを受けた場合に、この端部側領域と対面している他方の竿管部位に対して作用する力は小さくなり、応力集中が防止できる。また、この端部側領域に対応する領域の継合領域の曲げ剛性は小さくでき、それだけ撓み性が向上する。
更に、第１層の端が継合部端部側領域端と接しており、第２層の端はこれよりも離れているため、この第２層の端から前記第１層の端に至って更にその先方まで軸長方向強化繊維を主体としない層を設けることができ、この層によって、第１層と、該第１層の端と接している継合部端部側領域の１つの層との境界部を保持できる。また、第１層によって、第２層と、該第２層の端と接している前記軸長方向強化繊維を主体としない層との境界部を保持できる。従って、軸長方向強化繊維を主体とする層と、軸長方向強化繊維を主体としない層とが竿管の長手方向に互い違いに並ぶことで、それらの境界部の強度が保持できる。
【０００６】
【発明の実施の形態】
以下、本発明を添付図面に示す実施形態例に基づき、更に詳細に説明する。
図１は本発明に係る並継式釣竿要部の縦断面図、図２は振出式釣竿要部の縦断面図、図３は図１の要部拡大断面図である。本願の各竿管は、エポキシ樹脂等の合成樹脂をマトリックスとし、炭素繊維等の強化繊維で強化した繊維強化樹脂製竿管である。実施例として使用しているマトリックスはエポキシ樹脂である。図１では、後側である大径竿管１０の前側継合部１０Ｔ内に、前側である小径竿管１２の後側継合部１２Ｔを差し込んで継ぎ合わせている。ＴＲは差し込んだ状態の両継合部を含んだ継合領域を示す。継合部１０Ｔの端部側領域１０Ｅには、軸長方向指向の強化繊維を主体とする層を設けていない。また、これらのことは図２に示す振出式釣竿においても同様である。並継式の場合は、本発明の構造により大径竿管の端部（玉口部）が撓み易くなることにより、この領域の小径竿管の撓みに追随でき、該小径竿管の不用意な抜けが防止できる。
【０００７】
図３を参照する。大径竿管１０の前側継合部１０Ｔ領域内には、竿管１０の後方部（本体部）から延伸し、軸長方向に指向した強化繊維としての炭素繊維を主体とした第１層Ｊ１が至っている。更には、前記の継合部１０Ｔの端部側領域１０Ｅとの境界Ｋ１にまで至っており、その外側に同様な軸長方向炭素繊維を主体とする第２層Ｊ２が継合部１０Ｔ領域内に至っており、前記境界Ｋ１よりも後方位置である境界Ｋ２にまで至っている。
【０００８】
前記境界Ｋ１で第１層Ｊ１と接している残りの層Ｙ１（端部側領域１０Ｅの範囲）には、前記第１層Ｊ１よりも曲げ剛性が数分の一程度に小さくなる繊維強化樹脂材を設ける。例えば、強化繊維の方向を±４５度方向等の傾斜方向に指向させたり、円周方向（９０度方向）に指向させたりする。或いは、ガラス繊維等の弾性率の低い強化繊維を使用する。また、これらを併用する、等である。
【０００９】
前記境界Ｋ２で第２層Ｊ２と接している残りの層Ｙ２にも、前記層Ｙ１と同様に曲げ剛性が数分の一程度に小さくなる繊維強化樹脂材を設ける。その具体例は上記と同様である。
これらの軸長方向層Ｊ１，Ｊ２と層Ｙ１，Ｙ２の内側と外側には、大径竿管の本体部から端面Ｋ０にまで至り、円周方向に指向した内側層Ｃ１と外側層Ｃ２とが設けられている。更には、継合部１０Ｔの最内層であって、端面部から継合部の長さの７割程内部に至る位置まで、補強層Ｈが設けられている。この補強層も強化繊維を円周方向か±４５度等の傾斜方向に指向させる。
【００１０】
大径竿管１０の継合部１０Ｔは以上の構成であるため、その端部側領域１０Ｅにおいては、軸長方向の強化繊維を主体とする層が存在しないため、この領域の曲げ剛性が非常に小さくなり、境界Ｋ２より後方の継合部領域の曲げ剛性と比較して、好ましくは１／５以下に設定する。更に好ましくは、１／１０以下にする。また、この端部側領域１０Ｅとその残り領域との境界位置Ｋ１において、曲げ剛性が急変することは撓みの滑らかさを阻害するため好ましくない。これに対して、本形態例では、軸長方向第１層Ｊ１の外側の第２層Ｊ２を、前記境界Ｋ１よりも後方位置Ｋ２が端となるように設けており、この境界位置Ｋ２から境界位置Ｋ１を経て先端Ｋ０に至る領域では、曲げ剛性が段々と小さくなるよう構成している。
【００１１】
更には、層Ｊ２と層Ｙ２との境界Ｋ２は、該境界位置Ｋ２の前後に亘って連続したその内側の層Ｊ１によって保持されているため、撓みを受けた場合等に、該境界部において破損し易くなることが防止されている。また、層Ｊ１と層Ｙ１との境界Ｋ１は、該境界位置Ｋ１の前後に亘って連続したその外側の層Ｙ２によって保持されているため、撓みを受けた場合等に、該境界部において破損し易くなることが防止されている。従って、継合部１０Ｔの強度が確保されている。層Ｙ２には強化繊維を傾斜方向に指向させるのが好ましい。繊維が位置Ｋ１の前後に亘って配向し、強度が確実に確保される。
【００１２】
以上の構成があれば、本願請求項１と２は成り立つが、この形態例では更に、小径竿管１２においても同様な構造を採用している。符号’を付した記号の示すものは、大径竿管１０において、その符号’を除いた記号の示す層等に対応しており、詳述しない事項は、この対応する大径竿管１０の各説明を適用する。本体部から後側継合部１２Ｔ内の位置Ｋ１’にまで至る軸長方向炭素繊維を主体とする層Ｊ１’を設け、それと端面が接する端部側領域１２Ｅの層Ｙ１’には、曲げ剛性の小さくなる層を設ける。
【００１３】
これらの外側には、前記境界Ｋ１’よりも前側位置を境界Ｋ２’として、本体部から軸長方向炭素繊維を主体とする第２層Ｊ２’を設け、これと端面が接する端面Ｋ０’側の層Ｙ２’を設ける。層Ｙ２’は、前記層Ｙ１’と同様な低曲げ剛性の繊維強化樹脂層とする。層Ｊ１’と層Ｙ１’の内側には、強化繊維が円周方向に指向した層Ｃ１’を設け、また、層Ｊ２’と層Ｙ２’の外側には、強化繊維が円周方向に指向した層Ｃ２’を設けている。更には、層Ｃ２’の外側に、並継式の継合部１２Ｔの適切な外径を設定し、補強するために、補充層Ｈ’を設けている。
上記構成による作用効果は、大径竿管１０の場合の説明と同様である。
【００１４】
図４から図８は参考形態例を説明する図である。図４は、その継合式釣竿の内の、大径竿管の製法を説明する図である。芯金２０の先部に、＋４５度方向と、−４５度方向に、夫々指向した炭素繊維を主体とするシートを重合させたプリプレグＰＨを巻回する。その外側には、竿管の全長に対応する長さであって、強化繊維を円周方向に指向させたプリプレグＰＣ１を巻回する。その外側には、先部領域Ｌが、図示の如く、夫々が先細状の三角形状にカット形成された複数個の三角形要素を巻回方向（円周方向）に並べた形態のプリプレグＰＪを巻回する。このプリプレグは、軸長方向に指向した炭素繊維を主体とし、長さは竿管の全長に対応する長さのプリプレグである。
【００１５】
この先部領域Ｌ付近の外側に、前記プリプレグＰＨと同様なプリプレグＰＹを巻回する。更にその外側に、竿管の全長に対応する長さであって、強化繊維を円周方向に指向させたプリプレグＰＣ２を巻回する。これを常法に従って加熱成形した大径竿管の、前記先部領域Ｌの途中位置における横断面を図５に示す。この竿管の継合部は前記先部領域Ｌを含み、更に、その後方部所定範囲を含む領域である。
【００１６】
最内層がプリプレグＰＨに対応する補強層Ｈであり、その外側がプリプレグＰＣ１に対応する円周方向層Ｃ１である。その外側には、プリプレグＰＪの先部ＰＪＥに対応する軸長方向層ＪＥと、プリプレグＰＹに対応する傾斜方向層Ｙとが円周方向に交互に配設されている。この交互の配設間隔は、等間隔であり（この例では１２０度づつ）、全体として、大径竿管の先部に撓みの方向性（曲げ剛性の方向性）が出難いように形成している。その外側は、プリプレグＰＣ２に対応する円周方向層Ｃ２である。
【００１７】
竿管の成形時には加圧するため、上側に巻回したプリプレグＰＹがプリプレグＰＪの先部領域Ｌのカットされている隙間領域に侵入できる。しかし、それをより十分に侵入させて、先部肉厚を薄く形成するには、プリプレグＰＹに代え、図６に示すようにプリプレグＰＪの先部領域Ｌのカットされている隙間領域に合致させた形状のプリプレグＰＹ”を使用するとよい。
【００１８】
上記のように構成すれば、大径竿管の先側継合部の端部側領域、即ち、プリプレグＰＪの先部領域Ｌに対応する領域は、先端に行くに従って軸長方向指向の強化繊維が漸次少なくなり、理想的には先端において丁度無くなる。この軸長方向指向の強化繊維の減少した部位に代わって、±４５度等の傾斜方向指向の強化繊維が配設されている構成のため、この領域の曲げ剛性が低減し、相手側竿管、即ち、小径竿管に対する応力集中が低減する。また、先端に向かって漸次曲げ剛性が低減して、先端において最小となるため、撓みが滑らかになると共に、継合状態の継合部端部と、継合領域の直ぐ前の小径竿管部位の曲げ剛性との剛性差を小さくでき、この意味で更に撓みが滑らかになる。
【００１９】
図７は図５の形態に代わる大径竿管の横断面であるが、異なるのは軸長方向層ＪＥ’の２箇所と傾斜方向層Ｙ’の２箇所とが、夫々、円周方向に１８０度離れて存在することである。曲げ剛性の方向性防止の観点からは、この例のように、各層ＪＥ’，Ｙ’は、１８０度離隔した最低２箇所づつは必要である。従って、図４でいえば、プリプレグＰＪの先部ＰＪＥの三角形要素は、巻回された状態の３６０度の範囲内に２つ以上（複数）必要ということである。また、図８に示すように、図４のプリプレグＰＪに代り、これと類似の２枚のプリプレグＰＪ１，ＰＪ２を用い、巻回した状態で図８の重なり状態のように三角形要素がずれて、円周における三角形要素の数が増えるように巻回し、３６０度中の必要な配設数を確保してもよい。
【００２０】
図４以降で説明した大径竿管の継合部の構造は、小径竿管の継合部にも同様に適用できる。
【００２１】
【発明の効果】
以上の説明から明らかなように本発明によれば、継合領域の端部近くにおける応力集中の防止された継合式釣竿が提供できる。
【図面の簡単な説明】
【図１】  図１は本発明に係る並継式釣竿の縦断面図である。
【図２】  図２は振出式釣竿の縦断面図である。
【図３】  図３は図１の要部の拡大図である。
【図４】  図４は他の継合式釣竿の製法図である。
【図５】  図５は、図４の方法によって成形された釣竿竿管の要部横断面図である。
【図６】  図６は図４に代わる他の製法説明図である。
【図７】  図７は図５に代わる他の継合式釣竿竿管の横断面図である。
【図８】  図８は図４に代わる他の製法説明図である。
【符号の説明】
１０                  大径竿管
１０Ｅ                継合部の端部側領域
１０Ｔ                継合部
１２                  小径竿管
１２Ｅ                継合部の端部側領域
１２Ｔ                継合部
ＴＲ                  継合領域
【図１】
0003934449.tif 000002
【図２】
0003934449.tif 000003
【図３】
0003934449.tif 000004
【図４】
0003934449.tif 000005
【図５】
0003934449.tif 000006
【図６】
0003934449.tif 000007
【図７】
0003934449.tif 000008
【図８】
0003934449.tif 000009